(57)【要約】      （修正有）【課題】光線の焦点距離が調整可能で、発光源から発する熱を快速に外部に放出できる懐中電灯を提供する。【解決手段】ベース１と、エレクトロルミネセンス発光源２と、前熱伝導子３と、後熱伝導子４と、焦点調整台５と、胴体と、電源供給ユニットと、カバーと、を含む懐中電灯において、ベース１は、反射用コップ形状部１１と、発光源組付部１２と、を有し、エレクトロルミネセンス発光源２は回路板２１を有し、回路板２１には、制御回路と、発光源２２と、が設けられており、前熱伝導子３はベース１とエレクトロルミネセンス発光源２との間に設けられており、後熱伝導子４は焦点調整台５と前記胴体との間に設けられており、焦点調整台５は、外周面には調節螺旋段１２２が設けられており、前記胴体は末端には押圧スイッチが設けられており、前記電源供給ユニットは前記胴体の内部に収容されている。【選択図】図１
0003147420.tif 000002
【実用新案登録請求の範囲】
【請求項１】
ベースと、エレクトロルミネセンス発光源と、前熱伝導子と、後熱伝導子と、焦点調整台と、胴体と、電源供給ユニットと、カバーと、を含む懐中電灯において、
前記ベースは、一体成形されたものであり、ベル形状を呈する反射用コップ形状部と、発光源組付部と、を有し、前記発光源組付部の前記反射用コップ形状部から遠ざかった一端には調節螺旋段が設けられており、
前記エレクトロルミネセンス発光源は、回路板を有し、前記回路板には、制御回路と、発光源と、が設けられており、
前記前熱伝導子は、前記ベースとエレクトロルミネセンス発光源との間に設けられており、
前記後熱伝導子は、前記焦点調整台と前記胴体との間に設けられており、
前記焦点調整台は、外周面には前記ベースに設けられた調節螺旋段と螺合する調節螺旋段が設けられており、
前記胴体は、円筒形状を呈し、末端には押圧スイッチが設けられており、前記押圧スイッチは、前記エレクトロルミネセンス発光源の回路板に設けられた制御回路及び前記電源供給ユニットと電気的に連接しており、前記エレクトロルミネセンス発光源のオン/オフを制御し、
前記電源供給ユニットは、前記胴体の内部に収容されており、前記エレクトロルミネセンス発光源に電力を供給するものであり、
前記カバーは、前記ベースの反射用コップ形状部をカバーするためのものであり、前記胴体に組み付けられることを特徴とする、
懐中電灯。
【請求項２】
前記発光源は発光ダイオードであることを特徴とする、請求項１に記載の懐中電灯。
【請求項３】
前記前熱伝導子は金属製のバネであることを特徴とする、請求項１に記載の懐中電灯。
【請求項４】
前記発光源組付部の前記反射用コップ形状部に近接する一端には位置決め溝が設けられており、前記前熱伝導子の一端が前記ベースの位置決め溝に収容されていることを特徴とする、請求項３に記載の懐中電灯。
【請求項５】
前記後熱伝導子は金属製のバネであることを特徴とする、請求項１に記載の懐中電灯。
【請求項６】
前記焦点調整台の外周面には環状溝が開設されており、前記後熱伝導子の一端が前記環状溝と係合していることを特徴とする、請求項５に記載の懐中電灯。
【請求項７】
前記焦点調整台の前記後熱伝導子に向いている一端には溝が開設されていることを特徴とする、請求項１に記載の懐中電灯。
【請求項８】
前記発光源組付部の前記反射用コップ形状部に近接する一端には位置決め溝が設けられており、前記前熱伝導子の一端が前記ベースの位置決め溝に収容されていることを特徴とする、請求項１に記載の懐中電灯。
【請求項９】
前記焦点調整台の外周面には環状溝が開設されており、前記後熱伝導子の一端が前記環状溝と係合していることを特徴とする、請求項１に記載の懐中電灯。
【考案の詳細な説明】
【技術分野】
【０００１】
本考案は、懐中電灯に関し、特に、発光源からの光線の焦点距離を調整可能であり、発光源の前後に熱伝導装置が設けられていることにより、発光源から発する熱を快速に外部に放出することができる懐中電灯に関するものである。
【背景技術】
【０００２】
発光ダイオードのパワーが引き続き増加することに従って、発光ダイオードが照明ランプや緊急照明ランプや警告用ランプなどに使用されることが徐々に増加している。
また、緊急照明ランプは懐中電灯を採用することが多い。
【０００３】
懐中電灯は、外出のとき、又は緊急のときに周りを照明するためのものであるので、一定以上の光度を有しないと役に立たない。そのために、パワーを向上させている。
パワーが増加することに伴って廃熱量が増加するため、廃熱を有効に放熱しないと、温度が上昇して発光ダイオードの仕事効率が降下する。ひいては発光ダイオードが損壊することもある。
【０００４】
一方、従来の懐中電灯は、発光源からの光線の焦点距離を調整することができないので、各ユーザの相違する要求に満足することができない。
【考案の開示】
【考案が解決しようとする課題】
【０００５】
本考案は以上の点に鑑みて成されたもので、本考案の主な目的は、発光源からの光線の焦点距離を調整可能であり、発光源の前後に熱伝導装置が設けられていることにより、発光源から発する熱を快速に外部に放出することができる懐中電灯を提供することにある。
【課題を解決するための手段】
【０００６】
本考案の請求項１に記載の懐中電灯によると、ベースと、エレクトロルミネセンス発光源と、前熱伝導子と、後熱伝導子と、焦点調整台と、胴体と、電源供給ユニットと、カバーと、を含む懐中電灯において、
前記ベースは、一体成形されたものであり、ベル形状を呈する反射用コップ形状部と、発光源組付部と、を有し、前記発光源組付部の前記反射用コップ形状部から遠ざかった一端には調節螺旋段が設けられており、
前記エレクトロルミネセンス発光源は、回路板を有し、前記回路板には、制御回路と、発光源と、が設けられており、
前記前熱伝導子は、前記ベースとエレクトロルミネセンス発光源との間に設けられており、
前記後熱伝導子は、前記焦点調整台と前記胴体との間に設けられており、
前記焦点調整台は、外周面には前記ベースに設けられた調節螺旋段と螺合する調節螺旋段が設けられており、
前記胴体は、円筒形状を呈し、末端には押圧スイッチが設けられており、前記押圧スイッチは、前記エレクトロルミネセンス発光源の回路板に設けられた制御回路及び前記電源供給ユニットと電気的に連接しており、前記エレクトロルミネセンス発光源のオン/オフを制御し、
前記電源供給ユニットは、前記胴体の内部に収容されており、前記エレクトロルミネセンス発光源に電力を供給するものであり、
前記カバーは、前記ベースの反射用コップ形状部をカバーするためのものであり、前記胴体に組み付けられることを特徴とする懐中電灯である。
【０００７】
本考案の請求項２に記載の懐中電灯によると、前記発光源は発光ダイオードである。
本考案の請求項３に記載の懐中電灯によると、前記前熱伝導子は金属製のバネである。
【０００８】
本考案の請求項４に記載の懐中電灯によると、前記発光源組付部の前記反射用コップ形状部に近接する一端には位置決め溝が設けられており、前記前熱伝導子の一端が前記ベースの位置決め溝に収容されている。
本考案の請求項５に記載の懐中電灯によると、前記後熱伝導子は金属製のバネである。
【０００９】
本考案の請求項６に記載の懐中電灯によると、前記焦点調整台の外周面には環状溝が開設されており、前記後熱伝導子の一端が前記環状溝と係合している。
本考案の請求項７に記載の懐中電灯によると、前記焦点調整台の前記後熱伝導子に向いている一端には溝が開設されている。
【００１０】
本考案の請求項８に記載の懐中電灯によると、前記発光源組付部の前記反射用コップ形状部に近接する一端には位置決め溝が設けられており、前記前熱伝導子の一端が前記ベースの位置決め溝に収容されている。
本考案の請求項９に記載の懐中電灯によると、前記焦点調整台の外周面には環状溝が開設されており、前記後熱伝導子の一端が前記環状溝と係合している。
【考案の効果】
【００１１】
本考案の懐中電灯によれば、次のような効果がある。
（１）本考案に係る懐中電灯の焦点距離の調整は、相互に螺合している、ベースの調節螺旋段と、焦点調整台の調節螺旋段と、を相対に回転することによって施すので、焦点調整台を回転するとエレクトロルミネセンス発光源の位置が変化され、これにより、焦点調整台での発光源からの光線の焦点距離を変化することができる。
【００１２】
（２）本考案に係るエレクトロルミネセンス発光源の前後には、前熱伝導子と後熱伝導子とがそれぞれ設けられているので、発光源から発する熱を快速に外部に放出することができ、これにより、エレクトロルミネセンス発光源が高熱によって損壊することはない。
【考案を実施するための最良の形態】
【００１３】
以下、本考案の実施の形態を図面に基づいて説明する。
まず、図１乃至図３を参照する。
本考案に係る懐中電灯は、ベース１と、エレクトロルミネセンス発光源２と、前熱伝導子３と、後熱伝導子４と、焦点調整台５と、胴体６と、電源供給ユニット７と、カバー８と、を含む。
【００１４】
前記ベース１は、一体成形されたものであり、ベル形状を呈する反射用コップ形状部１１と、前記反射用コップ形状部１１と連通している発光源組付部１２と、を有する。
前記発光源組付部１２の前記反射用コップ形状部１１から遠ざかった一端には調節螺旋段１２２が設けられている。
前記発光源組付部１２の前記反射用コップ形状部１１に近接する一端には位置決め溝１２１が開設されている。
【００１５】
前記エレクトロルミネセンス発光源２は、回路板２１を有し、前記回路板には、制御回路と、発光源２２と、が設けられている。
前記発光源２２は発光ダイオードを採用する。
【００１６】
前記前熱伝導子３は、金属製のバネであり、一端が前記ベース１の位置決め溝１２１に収容されており、他端がエレクトロルミネセンス発光源２の回路板２１に押付けている。
【００１７】
前記後熱伝導子４は、金属製のバネであり、一端が前記焦点調整台５に押付けており、他端が前記胴体６に押付けている。
前記焦点調整台５は、環状を呈し、外周面には調節螺旋段５１と環状溝５２とが設けられている。
前記調節螺旋段５１は前記ベース１に設けられた調節螺旋段１２２と螺合している。前記環状溝５２には前記後熱伝導子４の一端が係合されている。
【００１８】
前記胴体６は、円筒形状を呈し、末端には押圧スイッチ６１が設けられている。
前記押圧スイッチ６１は、前記エレクトロルミネセンス発光源２の回路板２１に設けられた制御回路及び前記電源供給ユニット７と電気的に連接しており、前記エレクトロルミネセンス発光源２のオン/オフを制御する。
【００１９】
前記電源供給ユニット７は、前記胴体６の内部に収容されており、前記エレクトロルミネセンス発光源２に電力を供給するものである。
前記カバー８は、前記ベース１の反射用コップ形状部１１をカバーするためのものであり、前記胴体６に組み付けられている。
【００２０】
次に、図３及び図４を参照する。
これにより、本考案の懐中電灯の射出する光線の焦点距離を調節したい場合には、まず、胴体６とカバー８とを分離してベース１を取り出して、焦点調整台５を回転し、焦点調整台５の調節螺旋段５１がベース１の調節螺旋段１２２と螺合しているので、焦点調整台５のベース１に対する位置を変化することができる。
また、焦点調整台５がエレクトロルミネセンス発光源２の回路板２１と接触しており、且つエレクトロルミネセンス発光源２が前熱伝導子３に付勢されているので、エレクトロルミネセンス発光源２が何時も焦点調整台５へ付勢されている。
そのため、焦点調整台５によりエレクトロルミネセンス発光源２のベース１に対する位置を変化することができる。
ひいてはエレクトロルミネセンス発光源２の発光源２２の焦点距離を調節することができる。
【００２１】
また、前記エレクトロルミネセンス発光源２は、前熱伝導子３を介してベース１と接触し、後熱伝導子４を介して胴体６と接触する。
そのため、前記エレクトロルミネセンス発光源２からの熱がそれぞれ前熱伝導子３と後熱伝導子４とによりベース１と胴体６とに伝導されて加速に外部に放出される。
したがって、前記エレクトロルミネセンス発光源２の使用寿命が更に長く延びる。
【００２２】
本考案に係る懐中電灯は、図１に示すように、更に、焦点調整台５の後熱伝導子４に向いている一端には溝５３が開設されている。
そうすると、前記溝５３に調節工具を挿入すると、後熱伝導子４の回転が便利になる。
【図面の簡単な説明】
【００２３】
【図１】本考案に係る懐中電灯の一部の構造を示す分解斜視図である。
【図２】本考案に係る懐中電灯の組合せ状態の模式図である。
【図３】本考案に係る懐中電灯の一部の構造及びエレクトロルミネセンス発光源の設置位置を示す模式図である。
【図４】本考案に係る懐中電灯の一部の構造及びエレクトロルミネセンス発光源の設置位置を示す模式図である。
【符号の説明】
【００２４】
１：ベース、２：エレクトロルミネセンス発光源、３：前熱伝導子、４：後熱伝導子、５：焦点調整台、６：胴体、７：電源供給ユニット、８：カバー、１１：反射用コップ形状部、１２：発光源組付部、２１：回路板、２２：発光源、５１：調節螺旋段、５２：環状溝、５３：溝、６１：押圧スイッチ、１２１：位置決め溝、１２２：調節螺旋段。
【図１】
0003147420.tif 000003
【図２】
0003147420.tif 000004
【図３】
0003147420.tif 000005
【図４】
0003147420.tif 000006